(57)【要約】      （修正有）【課題】動きがあって、目立ち、面白みがある表示装置を提供する。【解決手段】直方体形状の収容部２に、直方体形状の取り出し部３を収容可能に構成する。取り出し部３の本体部３ａには、本体部３ａの底面部に４枚の垂れ下がり部３ｄを取り付ける。垂れ下がり部３ｄは、一端が本体部３ａの底面部に取り付けられ、他端は自由端とする。収容部２の外側面の広告領域４と、垂れ下がり部３ｄの表面の広告領域５と、本体部３ａの外側面の広告領域６には、予め広告を描いておく。取り出し部３を収容部２に収容した状態では、収容部２の外側面の広告領域４に描いた広告が着目される。そして、取り出し部３を収容部２から上方に引き出すと、垂れ下がり部３ｄが垂れ下がり、垂れ下がり部３ｄの表面の広告領域５に描いた広告と、本体部３ａの外側面の広告領域６に描いた広告が現れる。【選択図】図６
0003194628.tif 000002
【実用新案登録請求の範囲】
【請求項１】
開口部を有する柱形状の収容部と、
収容部に収容および取り出し可能な柱形状の取り出し部と、
一端が取り出し部の底面部または底面部近傍にて取り付けられ、他端が自由端とされる複数の垂れ下がり部と、を備え、
前記垂れ下がり部は、前記取り出し部の前記収容部への収容時には、前記取り出し部の外側面と前記収容部の内側面との間隙に収容され、前記他端が前記取り出し部の上部近傍に位置しており、前記取り出し部の前記収容部からの取り出し過程にて、前記他端が、前記取り出し部よりも外側に広がって垂れ下がる、
ことを特徴とする表示装置。
【請求項２】
前記収容部の外側面と、前記取り出し部の外側面と、前記収容時に前記取り出し部の外側面と接する前記垂れ下がり部の表面とには、広告領域が形成されている、
ことを特徴とする請求項１に記載の表示装置。
【請求項３】
前記収容部と前記取り出し部とは多角柱形状に形成されており、前記垂れ下がり部は帯状に形成されている、
ことを特徴とする請求項１または請求項２に記載の表示装置。
【考案の詳細な説明】
【技術分野】
【０００１】  本発明は、ＰＯＰ等の広告媒体、あるいは、インテリア等として使用可能な表示装置に関する。
【背景技術】
【０００２】  多種類の商品を並べて陳列したときは個々の商品を目立たせることができない。そのため、商品位置よりも前方に商品訴求のためのＰＯＰ（印刷物、商品サンプル等）を設けて目立たせることが望ましい。【０００３】  商品の陳列棚等においては、商品の価格、商品に関する説明、セールの案内等各種の表示がなされる。この表示のために、たとえばいわゆるポップ（ＰＯＰ：Ｐｏｉｎｔ  ｏｆ  Ｐｕｒｃｈａｓｅ）と呼ばれる技法で描かれた表示板を用いることが多い。従来のポップアートによる表示板は、通常、１枚の単なる厚紙等からなる板体上に、所定の文字や図形を描いたものからなっている（特許文献１）。
【先行技術文献】
【特許文献】
【０００４】
【特許文献１】  実開平５−０２９０７２号公報
【考案の概要】
【考案が解決しようとする課題】
【０００５】  しかしながら、従来のＰＯＰ広告は、静的なものが多く、動きに欠け、目立たない、あるいは面白みがないという問題があった。という課題の解決を目的としている。
【課題を解決するための手段】
【０００６】  以上の課題を解決するため、本考案に係る表示装置は、開口部を有する柱形状の収容部と、収容部に収容および取り出し可能な柱形状の取り出し部と、一端が取り出し部の底面部または底面部近傍にて取り付けられ、他端が自由端とされる複数の垂れ下がり部と、を備え、前記垂れ下がり部は、前記取り出し部の前記収容部への収容時には、前記取り出し部の外側面と前記収容部の内側面との間隙に収容され、前記他端が前記取り出し部の上部近傍に位置しており、前記取り出し部の前記収容部からの取り出し過程にて、前記他端が、前記取り出し部よりも外側に広がって垂れ下がる、ことを特徴とする表示装置。【０００７】  本考案によれば、前記取り出し部の前記収容部への収容時には、前記垂れ下がり部は、前記取り出し部の外側面と前記収容部の内側面との間隙に収容され、前記他端が前記取り出し部の上部近傍に位置している。したがって、外部から見ると、前記収容部の外側面が見えることになる。しかし、前記取り出し部の前記収容部からの取り出そうとすると、その過程において、前記垂れ下がり部は、前記自由端とされる前記他端が、前記取り出し部よりも外側に広がって垂れ下がる。したがって、動的で、目立と、かつ、面白みのある表示装置を提供できる。【０００８】  前記表示装置において、前記収容部の外側面と、前記取り出し部の外側面と、前記収容時に前記取り出し部の外側面と接する前記垂れ下がり部の表面とには、広告領域を形成するようにしてもよい。この場合には、動的で、目立と、かつ、面白みのある広告媒体としての表示装置を提供できる。【０００９】  前記表示装置において、前記収容部と前記取り出し部とは多角柱形状に形成されており、前記垂れ下がり部は帯状に形成されていてもよい。この場合には、前記収容部の外側面と、前記取り出し部の外側面と、前記収容時に前記取り出し部の外側面と接する前記垂れ下がり部の表面とを表示領域、例えば、広告領域として活用できる。
【図面の簡単な説明】
【００１０】
【図１】  本考案の第１実施形態に係る表示装置の概要を示す斜視図である。
【図２】  収容部の概要を示す斜視図である。
【図３】  取り出し部の概要を示す斜視図である。
【図４】  垂れ下がり部の変形例を示す斜視図である。
【図５】  取り出し部を収容部に収容した状態の広告領域を示す斜視図である。
【図６】  取り出し部を収容部から引き出した際の垂れ下がり部の動きおよびこの際に形成される広告領域を示す斜視図である。
【図７】  本考案の第２実施形態に係る表示装置の概要を示す斜視図である。
【図８】  本考案の第２実施形態に係る表示装置の概要を示す斜視図である。
【考案を実施するための形態】
【００１１】  以下、添付の図面を参照しながら本考案に係る様々な実施の形態を説明する。図面においては、各部の寸法の比率は実際のものとは適宜に異ならせてある。
【００１２】＜第１実施形態＞
図１は、本考案の第１実施形態に係る表示装置１の概要を示す斜視図である。本実施形態の表示装置１は、一例として、ＰＯＰ等の広告媒体に本考案を適用したものである。図１に示すように、収容部２と取り出し部３とを備えている。収容部２は、図２に示すように、直方体形状の箱体で、上方に開口部２ａを有している。収容部２は、開口部２ａから挿入された取り出し部３を収容部２の内部にて収容可能に構成されている。収容部２の材質は、特に限定されないが、例えば、紙、プラスチック、あるいはユポ紙等の合成紙を使用することができる。
【００１３】  取り出し部３は、直方体形状の箱体である本体部３ａと、本体部３ａと連続して形成された上面部３ｂと、上面部３ｂに連続して形成された把持部３ｃと、４枚の帯状の垂れ下がり部３ｄとを備えている。取り出し部３の材質は、特に限定されないが、例えば、紙、プラスチック、あるいはユポ紙等の合成紙を使用することができる。垂れ下がり部３ｄは、一端が本体部３ａの底面部３ａ−１に貼り付けられており、他端は自由端となっている。また、垂れ下がり部部３ｄは、図４に示すように、一枚の帯状部材を二つ折りにし、一方を本体部３ａの外側面に貼り付ける貼り付け部３ｄ−１とし、他方を自由端部３ｄ−２としてもよい。垂れ下がり部３ｄの自由端となる他端の端部には、図３に示すように重り部３ｅが取り付けられている。重り部３ｅは、垂れ下がり部３ｄを、図３に示すように下方に移動させる働きを有している。
【００１４】  取り出し部３の大きさは、特に限定されないが、収容部２の内部に収容可能で、収容部２からの取り出しが容易であればよい。好ましくは、取り出し部３を収容部２に収容した際に、本体部３ａの外側面と収容部２の内側面との隙間において、垂れ下がり部３ｄが本体部３ａの外側面と収容部２の内側面との両方に接触するように挟まれ、かつ、取り出し部３を容易に収容部２からの取り出しできる程度の大きさであればよい。また、図１のように取り出し部３を収容部２に収容した際に、取り出し部３の上部が収容部２よりも少し出るような大きさが好ましい。
【００１５】  取り出し部３を収容部２に収容させる際には、まず、垂れ下がり部３ｄの重り部３が本体部３ａの上面部３ｂに近づくように、垂れ下がり部３ｄの表面を本体部３ａの外側面に接触させながら、垂れ下がり部３ｄを起立させる。この状態で、図５に示すように、取り出し部３を収容部２に収容させる。収容部２の四方の外側面は、広告領域４として使用することができる。さらに、この状態から、図５に示す矢印方向に取り出し部３を取り出すと、図６に示すように、垂れ下がり部３ｄは、重り部３ｅの働きにより、下方に向かうにように移動する。その結果、図６に示すように、垂れ下がり部３ｄは、本体部３ａの外側面から離れて外側に開く。したがって、この状態においては、本実施形態の表示装置１は、収容部２の四方の外側面の広告領域４だけでなく、垂れ下がり部３ｄの表面の広告領域５と、本体部３ａの外側面の広告領域６も使用することができる。
【００１６】  本実施形態の表示装置１をＰＯＰ広告として使用する場合には、予め、収容部２の四方の外側面の広告領域４と、垂れ下がり部３ｄの表面の広告領域５と、本体部３ａの外側面の広告領域６に広告を描いておく。広告は、各表面に直接印刷してもよい、各表面に広告を貼り付けるようにしてもよい。このように各表面に予め広告を描いた状態で、取り出し部３を収容部２に収容させ、図５に示すような状態で、店頭において商品の近く等に表示装置１を載置しておく。収容部２の四方の外側面の広告領域４に描いた広告だけでも通常の広告としての機能を発揮するため、この表示装置１を見た客に対して、商品のアピール等を行うことができる。
【００１７】  しかし、本考案の表示装置１はこれだけではなく、取り出し部３の上部が収容部２から少し出ているため、また、取り出し部３には把持部３ｃが形成されているため、取り出し部３が収容部２から取り出し可能になっていることを示唆される。したがって、この表示装置１に興味を持った客が、把持部３ｃを把持し、図５の矢印方向に引き出すと、垂れ下がり部３ｄが開き、垂れ下がり部３ｄの表面の広告領域５に描いた広告と、本体部３ａの外側面の広告領域６に描いた広告とが現れることになる。したがって、この予期しない垂れ下がり部３ｄの動きと相俟って、広告領域が一気に広がるため、客は垂れ下がり部３ｄの表面の広告領域５に描かれた広告と、本体部３ａの外側面の広告領域６に描かれた広告に着目することになる。したがって、本考案の表示装置１によれば、非常に高い広告効果を発揮することができる。
【００１８】  なお、垂れ下がり部３ｄの重り部３ｅは必須の構成要素ではなく、垂れ下がり部３ｄが自重で垂れ下がることができる場合には不要である。
【００１９】  取り出し部３は再び収容部２に収容することができるため、本考案の表示装置１は繰り返し使用することができる。このように、本考案によれば、シンプルな構成で、非常に高い広告効果の高いＰＯＰ広告を提供することができる。
【００２０】＜第２実施形態＞
次に、本考案の第２実施形態について説明する。第１実施形態では、直方体形状の収容部および取り出し部を用いた例について説明したが、本考案はこのような形状に限定されるものではない。
【００２１】  例えば、図７に示すように、三角柱形状の収容部２と、三角柱形状の取り出し部３により、本考案の表示装置１を構成してもよい。この場合でも、図８に示すうに取り出し部３を収容部２に収容し、その後に図７に示すように取り出し部３を収容部２から引き出すことにより、垂れ下がり部３ｄが垂れ下がり、第１実施形態と同様の広告効果を発揮することができる。
【００２２】  また、取り出し部３の引き出し字に垂れ下がり部３ｄが垂れ下がることができれば、三角柱形状の他にも、他の多角柱形状を採用することができる。
【００２３】＜変形例＞
本考案は、上述した実施形態に限定されるものではなく、例えば次に述べるような各種の変形が可能である。また、次に述べる変形の態様は、任意に選択された一または複数を、適宜に組み合わせることもできる。
【００２４】  上述した実施形態は、本考案の表示装置をＰＯＰ広告として使用する例について説明した。しかし、本考案はこのような例に限定されるものではなく、例えば、照明装置あるいはインテリア等としても使用可能である。例えば、収容部および取り出し部を円柱形状に構成し、帯状の垂れ下がり部３ｄの代わりに光ファイバーを円柱形状の取り出し部に取り付ける。そして、取り出し部を電動または手動で引き上げ可能に構成する。電源をオン状態にすると、円柱形状の取り出し部が上昇し、それに伴って光ファイバーがあたかも柳のように垂れ下がり、効果的な視覚効果を発揮することができる。
【００２５】  また、本考案の表示装置は、ＰＯＰ広告、照明装置あるいはインテリア等だけでなく、例えば、カレンダーや、写真立て等としても使用可能である。
【符号の説明】
【００２６】１……表示装置、２……収容部、２ａ……開口部、３……取り出し部、３ａ……本体部、３ｂ……上面部、３ｃ……把持部、３ｄ……垂れ下がり部、３ｅ……重り部、４，５，６……広告領域。
【図１】
0003194628.tif 000003
【図２】
0003194628.tif 000004
【図３】
0003194628.tif 000005
【図４】
0003194628.tif 000006
【図５】
0003194628.tif 000007
【図６】
0003194628.tif 000008
【図７】
0003194628.tif 000009
【図８】
0003194628.tif 000010